(57)【特許請求の範囲】
【請求項１】
プロセッサが、時間的に変化する風味を表す第１データをメモリから取得するステップと、
前記プロセッサが、前記第１データに基づき、時間的に変化する前記風味を、時間的に変化する視覚的要素として表示するための第２データを生成する生成ステップと
を含む方法であって、
前記風味は複数の風味要素から構成され、
前記方法は、前記プロセッサが、前記複数の風味要素にそれぞれ対応する複数の基本視覚的要素であって、互いに異なる複数の基本視覚的要素を表す第３データをメモリから取得する第３データ取得ステップを更に含み、
前記第２データは、前記第１データ及び前記第３データに基づき生成される、
方法。
【請求項２】
請求項１に記載の方法であって、前記第３データ取得ステップは、
時間的に変化する前記視覚的要素の表示対象であるユーザを特定する情報の入力を受けるステップと、
特定されたユーザに応じた前記第３データをメモリから取得するステップと
を含む、方法。
【請求項３】
請求項１又は２に記載の方法であって、
前記複数の基本視覚的要素の各々は、図形及び色の一方又は双方を構成要素として有し、
前記複数の基本視覚的要素において、構成要素の全てが同一の基本視覚的要素は存在しない、
方法。
【請求項４】
請求項１から３のうちの何れか一項に記載の方法であって、前記生成ステップは、時間的に変化する前記複数の風味要素の各々について、当該風味要素を表す前記基本視覚的要素を独立に処理するステップを含む、方法。
【請求項５】
請求項１から３のうちの何れか一項に記載の方法であって、前記生成ステップは、前記複数の基本視覚的要素を合成する合成ステップを含む、方法。
【請求項６】
請求項５に記載の方法であって、前記合成ステップは、
同一時点において前記複数の風味要素の各々が前記複数の風味要素において占める割合を計算するステップと、
前記複数の風味要素の各々に対し、当該風味要素が占める前記割合に基づき重みを割り当てるステップと、
前記複数の風味要素の各々に対して割り当てられた前記重みに基づき、前記複数の基本視覚的要素を合成して、ある時点において表示すべき前記視覚的要素を導出する視覚的要素導出ステップと
を含む、方法。
【請求項７】
請求項６に記載の方法であって、
前記第３データから、前記複数の基本視覚的要素それぞれの空間周波数成分を取得又は導出するステップ
を更に含み、前記視覚的要素導出ステップは、
前記視覚的要素の空間周波数成分を導出するステップであって、
前記複数の風味要素の各々に対して割り当てられた前記重みと、当該風味要素に対応する前記基本視覚的要素のある空間周波数における振幅との積を、前記複数の風味要素にわたり合計又は平均して、前記視覚的要素の前記ある空間周波数における振幅を計算するステップ
を含む、ステップと、
前記視覚的要素の前記空間周波数成分を逆フーリエ変換するステップと
を含む、方法。
【請求項８】
請求項１から７のうちの何れか一項に記載の方法であって、
前記第２データに基づき、時間的に変化する前記視覚的要素をディスプレイに表示するステップ
を更に含む方法。
【請求項９】
請求項８に記載の方法であって、前記風味の時間的な変化は、前記視覚的要素の形状と、大きさと、色との少なくとも１つの変化として表示される、方法。
【請求項１０】
請求項８又は９に記載の方法であって、前記風味が変化する時間と、時間的に変化する前記視覚的要素の表示時間とが略同一となるように、時間的に変化する前記視覚的要素は表示される、方法。
【請求項１１】
請求項８又は９に記載の方法であって、
前記プロセッサ及びディスプレイは、香味吸引器具又は該香味吸引器具と有線又は無線により接続されるように構成されたコンピュータに含まれ、
前記方法は、前記プロセッサが、
前記香味吸引器具のユーザのパフに関係する時間を取得するステップ
を更に含み、前記パフに関係する時間と、時間的に変化する前記視覚的要素の表示時間とが略同一となるように、時間的に変化する前記視覚的要素は表示される、方法。
【請求項１２】
コンピュータに、
時間的に変化する風味を表す第１データをメモリから取得するステップと、
前記第１データに基づき、時間的に変化する前記風味を、時間的に変化する視覚的要素として表示するための第２データを生成する生成ステップと
を実行させるプログラムであって、
前記風味は複数の風味要素から構成され、
前記プログラムは、前記コンピュータに、前記複数の風味要素にそれぞれ対応する複数の基本視覚的要素であって、互いに異なる複数の基本視覚的要素を表す第３データをメモリから取得するステップを更に実行させ、
前記第２データは、前記第１データ及び前記第３データに基づき生成される、
プログラム。
【請求項１３】
時間的に変化する風味を表す第１データをメモリから取得する手段と、
前記第１データに基づき、時間的に変化する前記風味を、時間的に変化する視覚的要素として表示するための第２データを生成する手段と
を含む情報処理装置であって、
前記風味は複数の風味要素から構成され、
前記情報処理装置は、前記複数の風味要素にそれぞれ対応する複数の基本視覚的要素であって、互いに異なる複数の基本視覚的要素を表す第３データをメモリから取得する手段を更に含み、
前記第２データは、前記第１データ及び前記第３データに基づき生成される、
情報処理装置。
【発明の詳細な説明】
【技術分野】
【０００１】
本発明は、風味の視覚化に関する。より詳細には、本発明は、風味の時間的な変化の視覚化に関する。
【背景技術】
【０００２】
時間的に変化する感覚を計測する手法として、Ｔｅｍｐｏｒａｌ  Ｄｏｍｉｎａｎｃｅ  ｏｆ  Ｓｅｎｓａｔｉｏｎｓ法（ＴＤＳ法）や、Ｔｉｍｅ−ｉｎｔｅｎｓｉｔｙ法（ＴＩ法）、Ｑｕａｎｔｉｔａｔｉｖｅ  Ｄｉｓｃｒｉｐｔｉｖｅ  Ａｎａｌｙｓｉｓ法（ＱＤＡ法）等が知られている。【０００３】
例えば、非特許文献１には、ＴＤＳ法について以下のように説明されている。
『Temporal Dominance of Sensations（TDS）法は，食品を賞味する際に生じる感覚の経時変化を計測する手法として提案された[4]．TDS 法では，評価者はある瞬間に最も支配的（dominant）に感じられる感覚を，複数の選択肢の中から選んで回答する．「支配的な」感覚とは，「その瞬間に注意を惹かれた」感覚と定義され，必ずしも最も強く感じている感覚ではない．』（第２頁左欄第１行〜第７行）【０００４】
図１６は、非特許文献１から引用した、ＴＤＳ法によって得られるデータに基づくグラフを含む図である。このグラフの横軸は時間に対応し、縦軸は所定の評価語についてのｄｏｍｉｎａｎｃｅ  ｒａｔｅに対応する。「ｄｏｍｉｎａｎｃｅ  ｒａｔｅ」とは、対応する時点における、全試行（評価者×繰り返し）を通じて当該所定の評価語が選択された回数の、全試行回数に対する割合である。【０００５】
また、特許文献１には、飲食物の時間動的な官能評価方法が開示されている。【０００６】
対象とする風味を視覚的要素と関連付ける手法として、直接法及び間接法が知られている。直接法とは、風味を視覚的要素と直接的に関連付ける手法であり、具体的には、ある風味に最もイメージが近い色や図形を評定尺度法などで選ぶ手法である。間接法とは、Ｓｅｍａｎｔｉｃ  Ｄｉｆｆｅｒｅｎｔｉａｌ法（ＳＤ法）等を用いて風味と視覚的要素とを感情空間にプロットし、プロットされた距離が小さい風味と視覚的要素とを結びつける手法である（例えば、非特許文献２を参照。）。【０００７】
また、味を図形化した広告が存在する（例えば、非特許文献３を参照。）。
【先行技術文献】
【特許文献】
【０００８】
【特許文献１】特開２０１８−１２４１０６号公報
【非特許文献】
【０００９】
【非特許文献１】岡田拓武，岡本正吾，石川智治，山田陽滋、「Temporal Dominance of Sensations法を用いた味覚と感性の時系列データ分析‐感性のダイナミクス‐」、［online］、２０１８年、日本感性工学会、［２０１９年１０月１日検索］、インターネット〈URL: http://www.mech.nagoya-u.ac.jp/asi/ja/member/shogo_okamoto/papers/okadaKE2018.pdf〉
【非特許文献２】橋田規子，大久保優希、「味覚イメージの形態表現とその形態変化が味覚イメージに与える影響についての研究」、日本感性工学会論文誌、Ｖｏｌ．４、２０１８年、ｐｐ．４７３〜４８０
【非特許文献３】相楽賢太郎、「味を図形化した、記号だけで成立する広告」、［online］、２０１７年１２月、ブレーン、［２０１９年１０月１日検索］、インターネット〈URL: https://mag.sendenkaigi.com/brain/201712/creative-relay/012002.php〉
【発明の概要】
【発明が解決しようとする課題】
【００１０】
食品等（たばこ等の嗜好品を含む。）の喫食時において、その風味は口内で時々刻々と変化するものであるが、このような風味の時間的な変化を、消費者や喫食者等に対して視覚的かつ効果的に訴求する技術はこれまでに存在しなかった。【００１１】
本発明は以上に鑑みてなされたものであり、その課題は、時間的に変化する風味を時間的に変化する視覚的要素として表示するための方法等を提供することである。
【課題を解決するための手段】
【００１２】
本発明の実施形態によれば、プロセッサが、時間的に変化する風味を表す第１データをメモリから取得するステップと、前記プロセッサが、前記第１データに基づき、時間的に変化する前記風味を、時間的に変化する視覚的要素として表示するための第２データを生成する生成ステップとを含む方法が提供される。【００１３】
一実施形態において、前記風味は複数の風味要素から構成されていてよい。一実施形態である方法は、前記プロセッサが、前記複数の風味要素にそれぞれ対応する複数の基本視覚的要素であって、互いに異なる複数の基本視覚的要素を表す第３データをメモリから取得する第３データ取得ステップを更に含んでいてよく、前記第２データは、前記第１データ及び前記第３データに基づき生成されてよい。
かかる構成によれば、時間的に変化する風味を、時間的に変化する視覚的要素として表示するためのデータが得られることになる。【００１４】
一実施形態において、前記第３データ取得ステップは、時間的に変化する前記視覚的要素の表示対象であるユーザを特定する情報の入力を受けるステップと、特定されたユーザに応じた前記第３データをメモリから取得するステップとを含んでいてよい。
かかる構成によれば、時間的に変化する風味を、時間的に変化する視覚的要素として表示するためのデータをユーザごとに最適化することができる。【００１５】
一実施形態において、前記複数の基本視覚的要素の各々は、図形及び色の一方又は双方を構成要素として有することができ、前記複数の基本視覚的要素において、構成要素の全てが同一の基本視覚的要素は存在しないことが好ましい。【００１６】
一実施形態において、前記生成ステップは、時間的に変化する前記複数の風味要素の各々について、当該風味要素を表す前記基本視覚的要素を独立に処理するステップを含んでいてよい。
かかる構成によれば、複数の風味要素をそれぞれ独立に表す、時間的に変化する視覚的要素として表示するためのデータを生成することができる。【００１７】
一実施形態において、前記生成ステップは、前記複数の基本視覚的要素を合成する合成ステップを含んでいてよい。【００１８】
一実施形態において、前記合成ステップは、同一時点において前記複数の風味要素の各々が前記複数の風味要素において占める割合を計算するステップと、前記複数の風味要素の各々に対し、当該風味要素が占める前記割合に基づき重みを割り当てるステップと、前記複数の風味要素の各々に対して割り当てられた前記重みに基づき、前記複数の基本視覚的要素を合成して、ある時点において表示すべき前記視覚的要素を導出する視覚的要素導出ステップとを含んでいてよい。【００１９】
一実施形態である方法は、前記第３データから、前記複数の基本視覚的要素それぞれの空間周波数成分を取得又は導出するステップを更に含んでいてよく、前記視覚的要素導出ステップは、前記視覚的要素の空間周波数成分を導出するステップであって、前記複数の風味要素の各々に対して割り当てられた前記重みと、当該風味要素に対応する前記基本視覚的要素のある空間周波数における振幅との積を、前記複数の風味要素にわたり合計又は平均して、前記視覚的要素の前記ある空間周波数における振幅を計算するステップを含む、ステップと、前記視覚的要素の前記空間周波数成分を逆フーリエ変換するステップとを含んでいてよい。
かかる構成によれば、複数の風味要素が合成された１つの風味を、時間的に変化する視覚的要素として表示するためのデータを生成することができる。【００２０】
一実施形態である方法は、前記第２データに基づき、時間的に変化する前記視覚的要素をディスプレイに表示するステップを更に含んでいてよい。【００２１】
一実施形態において、前記風味の時間的な変化は、前記視覚的要素の形状と、大きさと、色との少なくとも１つの変化として表示されてよい。【００２２】
一実施形態において、前記風味が変化する時間と、時間的に変化する前記視覚的要素の表示時間とが略同一となるように、時間的に変化する前記視覚的要素は表示されてよい。
かかる構成によれば、時間的に変化する風味を、時間的に変化する視覚的要素として、消費者や喫食者等に提示することができる。【００２３】
一実施形態において、前記プロセッサ及びディスプレイは、香味吸引器具又は該香味吸引器具と有線又は無線により接続されるように構成されたコンピュータに含まれていてよい。一実施形態である方法は、前記プロセッサが、前記香味吸引器具のユーザのパフに関係する時間を取得するステップを更に含んでいてよく、前記パフに関係する時間と、時間的に変化する前記視覚的要素の表示時間とが略同一となるように、時間的に変化する前記視覚的要素は表示されてよい。
かかる構成によれば、時間的に変化する風味を、香味吸引器具のユーザの平均パフ時間等に合わせて時間的に変化する視覚的要素として、当該ユーザに提示することができる。【００２４】
また、本発明の実施形態によれば、コンピュータに、時間的に変化する風味を表す第１データをメモリから取得するステップと、前記第１データに基づき、時間的に変化する前記風味を、時間的に変化する視覚的要素として表示するための第２データを生成する生成ステップとを実行させるプログラムが提供される。【００２５】
更に、本発明の実施形態によれば、時間的に変化する風味を表す第１データをメモリから取得する手段と、前記第１データに基づき、時間的に変化する前記風味を、時間的に変化する視覚的要素として表示するための第２データを生成する手段とを含む情報処理装置が提供される。【００２６】
更にまた、本発明の実施形態によれば、メモリと、該メモリに記憶された命令を実行するように構成されたプロセッサとを備えた情報処理装置であって、前記命令は、前記プロセッサに、時間的に変化する風味を表す第１データをメモリから取得させ、前記第１データに基づき、時間的に変化する前記風味を、時間的に変化する視覚的要素として表示するための第２データを生成させる、情報処理装置が提供される。
かかる構成によれば、時間的に変化する風味を、時間的に変化する視覚的要素として表示するためのデータが得られることになる。
【発明の効果】
【００２７】
本発明に係る方法などによれば、時間的に変化する風味を時間的に変化する視覚的要素として表示することができる。
【図面の簡単な説明】
【００２８】
【図１Ａ】時間的に変化する風味を、時間的に変化する視覚的要素として表示するための例示方法１００Ａのフローチャートである。
【図１Ｂ】時間的に変化する風味を、時間的に変化する視覚的要素として表示するための別の例示方法１００Ｂのフローチャートである。
【図２】ステップ１１０が含むことのできるより詳細な例示処理２００のフローチャートである。
【図３Ａ】ステップ１４０Ａ及び１４０Ｂが含むことのできるより詳細な例示処理３００Ａのフローチャートである。
【図３Ｂ】ステップ１４０Ａ及び１４０Ｂが含むことのできるより詳細な別の例示処理３００Ｂのフローチャートである。
【図４】ステップ３３０Ｂが含むことができるより詳細な例示処理４００のフローチャートである。
【図５】ステップ４１０が含むことができるより詳細な例示処理５００のステップのフローチャートである。
【図６】ステップ３３０Ｂが含むことができるより詳細な別の例示処理６００のフローチャートである。
【図７】例示の基本視覚的要素である。
【図８】例示の基本視覚的要素を表すデータのグラフである。
【図９】例示の基本視覚的要素を表すデータのグラフである。
【図１０】表示されることになる例示の視覚的要素を表すデータのグラフである。
【図１１】表示されることになる例示の視覚的要素を表すデータのグラフである。
【図１２】表示されることになる例示の視覚的要素である。
【図１３】複数の風味要素にそれぞれ関連付けられた複数の例示の基本視覚的要素である。
【図１４】表示されることになる別の例示の視覚的要素である。
【図１５】例示のコンピュータの構成図である。
【図１６】従来技術により得られたデータのグラフである。
【発明を実施するための形態】
【００２９】
１  本発明の一実施形態
本発明において風味とは、食品等（たばこ等の嗜好品を含む。）を喫食したときに感じる感覚を意味し、味、香り、食感などを含む。また、本発明において風味要素とは、「辛味」、「芳ばしい香り」、「パリッとした歯応え」などといった具体的な味、香り、食感などを意味する。本発明の実施にあたっては、対象となる食品等の特徴に鑑み、所望の風味及び風味要素を設定することができる。また、ユーザの嗜好によって所望の風味及び風味要素を設定してもよい。
【００３０】
図１Ａは、本発明の一実施形態に係る、時間的に変化する風味を、時間的に変化する視覚的要素として表示するための例示方法１００Ａのフローチャートである。なお、当該方法が含む各ステップは、コンピュータが備えるプロセッサが実行するものである。
【００３１】
１１０は、複数の基本視覚的要素を表す基本視覚的要素データをメモリから取得するステップを示している。
これら複数の基本視覚的要素は、表示されることになる視覚的要素を導出するためのものであり、風味を構成する複数の風味要素にそれぞれ関連付けられたものである。これら複数の基本視覚的要素は、互いに異なるものであることが好ましい。
【００３２】
ステップ１１０は、複数の風味要素にそれぞれ対応する複数の基本視覚的要素であって、互いに異なる複数の基本視覚的要素を表す第３データをメモリから取得する第３データ取得ステップを構成する。この場合、『第３データ』は、『基本視覚的要素データ』に相当する。
【００３３】
例えば風味がチョコレートに関するものである場合、風味要素の例として「Ｓｗｅｅｔ」、「Ｍｅｌｔ」、「Ｍｉｌｋｙ」、「Ｓｏｕｒ」、「Ｂｉｔｔｅｒ」、「Ｐｏｗｄｅｒｙ」、「Ｃａｃａｏ」、「Ａｓｔｒｉｎｇｅｎｔ」、「Ｆｒｕｉｔｙ」及び「Ａｒｏｍａｔｉｃ」などが挙げられるが、複数の風味要素はこれらのうちの２以上であってよい。図１３は、上述した間接法により導出された、これら複数の風味要素にそれぞれ関連付けられた複数の例示の基本視覚的要素を表している。なお、風味要素と基本視覚的要素との関連付けは、上述した直接法によって導出してもよい。また、風味を構成する風味要素は、当該風味に係る食品等に応じて異なるものであってよい。
【００３４】
基本視覚的要素は、図形及び色の一方又は双方を構成要素として有するものであってよい。基本視覚的要素を構成する図形（以下、「基本図形」ともいう。）としては、形状と大きさとによって特定される任意の図形を用いてよいが、以下の説明では、基本図形は、図７（及び図１３）に表されるような、円を半径方向に変形させた軌跡であるものと仮定している。そのような軌跡上の任意の点Ｐは、ｘｙ平面上に表したとき、原点Ｏからの距離ｒと、直線ＯＰとｙ軸とのなす角度θとによって一意に特定されることになる。基本視覚的要素を構成する色（以下、「基本色」ともいう。）は、単色であっても複数の色から構成されていてもよい。なお、複数の基本視覚的要素において、構成要素の全てが同一である基本視覚的要素は存在しないことが好ましい。例えば、基本色が同一である２つの基本視覚的要素において、基本図形は異なることが好ましい。逆に、例えば、基本図形が異なる２つの基本視覚的要素において、基本色は異なることが好ましい。
【００３５】
基本視覚的要素データは、どのように各基本視覚的要素を表してもよく、例えば、当該基本視覚的要素を表すラスターデータ（例えば、ビットマップ画像）又はベクターデータを含んでいてよい。
【００３６】
あるいは、基本視覚的要素データは、基本図形である軌跡上の複数の点のｘ成分及びｙ成分を表すデータを含んでいてよい。そのような複数の点は、当該軌跡上の点を円周方向に（即ち、角度θを一定角度で変化させながら）複数個所にてサンプリングすることによって決定されてよい。また、当該複数の点のｘ成分及びｙ成分を表すデータは、当該複数の点のｘ成分及びｙ成分を、当該複数の点を特定する角度θの順に並べた配列ｘ［］及びｙ［］としてそれぞれ表すことができる。図８は、そのような配列ｘ［］及びｙ［］をグラフに表したものであり、当該グラフの横軸が配列ｘ［］及びｙ［］のインデックスに対応し、縦軸が配列ｘ［］及びｙ［］の値に対応する。図８の（ａ）及び（ｂ）にグラフとして表された配列ｘ［］及びｙ［］は、図７の（ａ）及び（ｂ）に表された基本図形をそれぞれ表すものである。なお、この例での上記複数の点の数は１２８０であり、従って配列ｘ［］及びｙ［］のサイズは１２８０である。
【００３７】
あるいは、基本視覚的要素データは、基本図形の空間周波数領域の情報即ち当該基本図形の空間周波数成分を表すデータを含んでいてよい。そのようなデータは、上述したような複数のサンプリング点にわたるｘ成分及びｙ成分それぞれの変化即ち配列ｘ［］及びｙ［］をフーリエ変換することにより導出することができる。従って、そのようなデータは、ｘ成分及びｙ成分それぞれの変化についての空間周波数成分即ち各空間周波数における振幅を、空間周波数の順に並べた配列ｘｆ［］及びｙｆ［］としてそれぞれ表すことができる。図９は、そのような配列ｘｆ［］及びｙｆ［］をグラフに表したものであり、当該グラフの横軸が配列ｘｆ［］及びｙｆ［］のインデックスに対応し、縦軸が配列ｘｆ［］及びｙｆ［］の値に対応する。また、図９（ａ）及び（ｂ）にグラフとして表された配列ｘｆ［］及びｙｆ［］は、図７の（ａ）及び（ｂ）に表された基本図形をそれぞれ表すものである。なお、図９（ｂ）において、ｘ成分及びｙ成分のグラフは重なっていることに留意されたい。
【００３８】
１２０は、後続のステップにおいて用いる時点ｔを風味変化の開始時点に設定するステップを示している。なお、後述するようなテーブルが用いられる場合、ステップ１２０は、当該テーブルの行番号（最初の行の番号がゼロであると仮定している。）を表す変数ｌにゼロを代入するステップであってよい。
【００３９】
１３０Ａは、時間的に変化する風味のうち、時点ｔにおける風味を表す風味データをメモリから取得するステップを示している。後述するように、ステップ１３０Ａは、ステップ１８０によるループにより、原則的には複数回実行される。このように複数回実行されるステップ１３０Ａは、時間的に変化する風味を表す第１データをメモリから取得するステップを構成する。この場合、『第１データ』は、それぞれ異なる時点ｔにおける複数の風味データに相当する。
【００４０】
メモリは、複数の時点の各々における風味を表すデータを予め記憶しておくことができる。そのようなデータは、複数の時点の各々における、風味を構成する複数の風味要素にそれぞれ関係する複数の値を含んでいてよい。そのようなデータは、列方向が風味要素、行方向が時間に対応するテーブルとして記憶されていてよい。例示方法１００Ａにおいては、時点ｔにおける風味を表す風味データとして、そのようなテーブルにおけるステップ１３０Ａ実行時のｌ番目の行のデータを用いてよい。なお、複数の時点の各々における、風味を構成する複数の風味要素にそれぞれ関係する複数の値は、上述の時間的に変化する感覚を計測する手法など所望の方法を適宜用いて取得することができる。すなわち、これらの値は、例えばＴＤＳ法によって取得されてよく、その場合、ある時点におけるある風味要素に関係する値は、当該ある時点における当該ある風味要素のＤｏｍｉｎａｎｃｅ  Ｒａｔｅであってよい。あるいは、複数の時点の各々における、風味を構成する複数の風味要素にそれぞれ関係する複数の値は、例えば、官能評価の訓練を受けたパネルが喫食した際の、ある風味要素について感じた強さの変化を、スライドバーなどを用いて経時的に測定して得られる値、あるいは、この過程を反復して得られた値を統計処理した値などを用いてもよい。
【００４１】
１４０Ａは、基本視覚的要素データ及び風味データに基づき、視覚的要素を表す視覚的要素データを生成するステップを示している。視覚的要素データは、どのように視覚的要素を表してもよく、例えば、当該視覚的要素を表すラスターデータ又はベクターデータを含んでいてよい。あるいは、視覚的要素データは、後述するように、当該視覚的要素を構成する図形である軌跡上の複数の点のｘ成分及びｙ成分を表すデータを含んでいてよい。視覚的要素データは、基本視覚的要素データ及び風味データに基づきどのように生成してもよいが、当該生成の一例を、図３Ｂに関連して後述する。また、後述するように、ステップ１４０Ａは、ステップ１８０によるループにより、原則的には複数回実行される。このように複数回実行されるステップ１４０Ａは、上記第１データに基づき、時間的に変化する前記風味を、時間的に変化する視覚的要素として表示するための第２データを生成する生成ステップを構成する。この場合、『第２データ』は、それぞれ異なるタイミングで実行されたステップ１４０Ａにおいて生成された複数の視覚的要素データに相当する。
【００４２】
１５０Ａは、生成された視覚的要素データに基づき、視覚的要素をディスプレイに表示するステップを示している。なお、ディスプレイに表示する視覚的要素は、風味を構成する複数の風味要素のうち全部又は一部であってもよい。また、ユーザの嗜好によって、ディスプレイに表示する視覚的要素を適宜設定してもよい（例えば、後述する例示処理２００を参照。）。
【００４３】
１６０は、所定の時間処理をスリープするか、又は、所定の時刻まで処理をスリープするステップを示している。このステップについては、後述する。また、このステップは、ステップ１５０Ａと次のステップ１７０の間に実行される必要はなく、ステップ１３０Ａの直前からステップ１７０の直後までの任意のタイミングで実行されてよい。
【００４４】
１７０は、時点ｔを未来方向に移動させるステップを示している。上述したような変数ｌを用いる場合、このステップはｌを１だけインクリメントするステップであってよい。
【００４５】
１８０は、時点ｔが風味変化の終了時点よりも前であるかを判定するステップを示している。上述したような変数ｌを用いる場合、このステップは、変数ｌが上記のようなテーブルの行数ｌｍａｘ未満であるかを判定するステップであってよい。時点ｔが風味変化の終了時点よりも前であると判定された場合、処理はステップ１３０Ａに戻りループし、そうでない場合、処理は終了する。
【００４６】
例示方法１００Ａによれば、ステップ１５０Ａは複数回実行されることになるため、ディスプレイには時間的に変化する視覚的要素が表示されることになる。また、ステップ１６０によれば、ステップ１５０Ａの実行間隔が調整されることになる。従って、ステップ１６０におけるスリープ時間（上記『所定の時間』、又は、ステップ１６０に処理が進んでから上記『所定の時刻』までの時間）を、ステップ１７０において時点ｔを移動させた時間（即ち、上記のようなテーブルにおけるある行に対応する時点と、隣接行に対応する時点との間の時間）と略同一となるように設定すれば、風味が変化する時間と時間的に変化する視覚的要素の表示時間とは略同一となる。そうではなく、ステップ１６０におけるスリープ時間を、ステップ１７０において時点ｔを移動させた時間よりも小さくなるように設定すれば、風味が変化する時間よりも時間的に変化する視覚的要素の表示時間は短くなる。言い換えると、このように設定することにより、時間的に変化する風味を、時間的に変化する視覚的要素として倍速や３倍速表示することができる。
【００４７】
スリープ時間は、ユーザごとに変更されてもよい。例えば、時間的に変化する視覚的要素の表示時間が、電子たばこや加熱式たばこ等の香味吸引器具のユーザのパフに関係する時間と一致するように、上記スリープ時間を設定することができる。『ユーザのパフに関係する時間』は、ユーザの１回のパフの平均時間であってよいが、これに限定されるわけではない。
【００４８】
これに関し、例えば、例示方法１００Ａの少なくとも一部のステップを実行するプロセッサを備えたコンピュータは、香味吸引器具と有線又は無線により、例えばＢｌｕｅｔｏｏｔｈ（登録商標）技術により接続されるように構成されてよい。そのような香味吸引器具は、コンピュータと有線又は無線により接続するための通信インターフェースと、ユーザのパフに関係する時間を少なくとも一時的に記憶するためのメモリとを備えることができる。コンピュータは、有線又は無線接続を介して、香味吸引器具からユーザのパフに関係する時間を取得することができ、当該時間に基づき、上記スリープ時間を設定してよい。
【００４９】
また、例えば、例示方法１００Ａの少なくとも一部を実行するプロセッサは、香味吸引器具が備えているものであってよい。そのような香味吸引器は、ディスプレイと、ユーザのパフに関係する時間を少なくとも一時的に記憶するためのメモリを更に備えることができる。香味吸引器具は、記憶されているユーザのパフに関係する時間に基づき、上記スリープ時間を設定してよい。
【００５０】
更に、コンピュータ又は香味吸引器具は、ユーザによる香味吸引器具の吸引開始とともに例示方法１００Ａの実行が開始されるように構成することができる。かかる構成によれば、香味吸引器具のユーザは、時間的に変化する香味を楽しむとともに、時間的に変化する視覚的要素の表示をも楽しむという今までにない体験を経験することができる。
【００５１】
図１Ｂは、本発明の一実施形態に係る、時間的に変化する風味を、時間的に変化する視覚的要素として表示するための別の例示方法１００Ｂのフローチャートである。以下、例示方法１００Ａとは異なる部分について説明する。
【００５２】
１３０Ｂは、複数の時点における複数の風味データをメモリから取得するステップを示している。取得する複数の風味データは、メモリに記憶されている全ての風味データであってもよいし、その一部であってもよい。ステップ１３０Ｂは、複数回実行されるステップ１３０Ａと同様に、時間的に変化する風味を表す第１データをメモリから取得するステップを構成する。この場合、『第１データ』は、複数の時点における複数の風味データに相当する。
【００５３】
１４０Ｂは、基本視覚的要素データ及び複数の風味データに基づき、複数の視覚的要素データを生成するステップを示している。ステップ１４０Ｂは、基本視覚的要素データ及び複数の風味データのうちの１つに基づき、複数の視覚的要素データのうちの１つを生成するステップを含んでいてよい。なお、複数の視覚的要素データは、任意形式の１つの動画ファイルを構成するものであってよい。言い換えると、複数の視覚的要素データの各々は、動画ファイルが表す動画の各フレームに対応するものであってよい。ステップ１４０Ｂは、複数回実行されるステップ１４０Ａと同様に、上記第１データに基づき、時間的に変化する前記風味を、時間的に変化する視覚的要素として表示するための第２データを生成する生成ステップを構成する。この場合、『第２データ』は、ステップ１４０Ｂにおいて生成された複数の視覚的要素データに相当する。
【００５４】
１５０Ｂは、複数の視覚的要素データに基づき、時間的に変化するように視覚的要素をディスプレイに表示するステップを示している。ステップ１５０Ｂは、複数の視覚的要素データのそれぞれが表す複数の視覚的要素を、所定間隔で順にディスプレイに表示するステップを含んでいてよい。所定間隔を調整することにより、時間的に変化する視覚的要素の表示時間を調整できることは、ステップ１６０に関して上述したことと同様である。
【００５５】
例示方法１００Ｂにおいて、ステップ１１０、１３０Ｂ及び１４０Ｂと、ステップ１５０Ｂとは、別のタイミングで実行されてよい。また、ステップ１１０、１３０Ｂ及び１４０Ｂを実行するプロセッサと、ステップ１５０Ｂを実行するプロセッサとは異なっていてよい。即ち、例示方法１００Ｂによれば、あるコンピュータ、例えば、クラウド上のコンピュータにおいて予め複数の視覚的要素データを生成し且つ記憶しておき、別のコンピュータ、例えば、香味吸引器具が備えるものにおいて、あらかじめ生成しておいた複数の視覚的要素データを任意の手法、例えばネットワークを介して取得し、当該データに基づき時間的に変化するように視覚的要素を表示することができる。なお、ネットワークを介した複数の視覚的要素データの取得の際には、ネットワークを介して、香味吸引器具のユーザを特定する情報をクラウド上のコンピュータに送ることができ、取得される複数の視覚的要素データは、当該ユーザに応じたものであることができる。
【００５６】
図２は、ステップ１１０が含むことのできるより詳細な例示処理２００のフローチャートである。
【００５７】
２１０は、時間的に変化する視覚的要素の表示対象であるユーザを特定する情報の入力を受けるステップを示している。このステップにより、当該ユーザが特定されることになる。なお、「時間的に変化する視覚的要素の表示対象であるユーザ」とは、例えば、食品等の風味変化を表示するウェブサイトやサービス等の利用者であり、「ユーザを特定する情報」とは、当該ウェブサイトやサービス等の利用ＩＤであってよい。
【００５８】
２２０は、特定されたユーザに応じた基本視覚的要素データをメモリから取得するステップを示している。従って、メモリには、複数のユーザのそれぞれに対応した複数の基本視覚的要素データが記憶されていてよい。
【００５９】
例示処理２００によれば、ユーザごとに最適化された、時間的に変化する視覚的要素を表示することができるようになる。
【００６０】
これに関し、例示方法１００Ａのステップ１１０は、香味吸引器具が備えるプロセッサが、ネットワークを介して、クラウド上のコンピュータから基本視覚的要素データを取得するステップであり、ステップ２１０は、ネットワークを介して、時間的に変化する視覚的要素の表示対象であるユーザを特定する情報をクラウド上のコンピュータに送信するステップであり、ステップ２２０は、ネットワークを介して、特定されたユーザに応じた基本視覚的要素データを取得するステップであることができる。この場合、ステップ１２０以降も香味吸引器具が備えるプロセッサにより実行されてよい。かかるステップによれば、視覚的要素が表示される香味吸引器具に記憶容量がさほど要求されない一方で、ユーザごとに最適化された視覚的要素を表示することができる。
【００６１】
図３Ａは、ステップ１４０Ａ及び１４０Ｂが含むことのできるより詳細な例示処理３００Ａのフローチャートである。
【００６２】
３１０は、時点ｔにおいて、即ち同一時点において複数の風味要素の各々が、複数の風味要素において占める割合を計算するステップを示している。ある風味要素が複数の風味要素において占める割合は、当該風味要素に関係する値を、複数の風味要素にそれぞれ関係する複数の値の合計で除算することにより計算することができる。
【００６３】
３２０は、複数の風味要素の各々に対し、当該風味要素が占める割合に基づき重みを割り当てるステップを示している。風味要素に割り当てられる重みは、当該風味要素が占める割合に等しくてよい。あるいは、風味要素に割り当てられる重みは、当該風味要素が占める割合に比例してよい。しかしながら、風味要素に割り当てられる重みは、これらに限定されるわけではない。
【００６４】
３３０Ａは、複数の風味要素の各々に対して割り当てられた重みに基づき、当該風味要素を表す基本視覚的要素を独立に処理して、表示されることになる視覚的要素を導出するステップを示している。導出される視覚的要素は、処理された各基本視覚的要素を独立的に含むものであってよい。図１４は、そのような視覚的要素の例を表している。
【００６５】
ステップ３３０Ａは、ある基本視覚的要素を構成する図形を、当該基本視覚的要素に対応する風味要素に割り当てられた重みに応じて拡大縮小するステップを含んでいてよい。また、ステップ３３０Ａは、ある基本視覚的要素を構成する色を、当該基本視覚的要素に対応した風味に割り当てられた重みに応じて変化させるステップを含んでいてよい。色の変化は、例えば、当該色の明度の増減であってよい。
【００６６】
図３Ｂは、ステップ１４０Ａ及び１４０Ｂが含むことのできるより詳細な別の例示処理３００Ｂのフローチャートである。以下、例示処理３００Ａとは異なる部分について説明する。
【００６７】
３３０Ｂは、複数の風味要素の各々に対して割り当てられた重みに基づき、該複数の風味要素をそれぞれ表す複数の基本視覚的要素を合成して、表示されることになる視覚的要素を導出するステップを示している。
【００６８】
ステップ３３０Ｂにおいては、複数の風味要素の各々に割り当てられた重みに基づき、どのように該複数の風味要素をそれぞれ表す複数の基本視覚的要素を合成してもよいが、当該合成の例を、図４〜図６に関連して後述する。なお、表示されることになる視覚的要素を構成する図形は、形状と大きさとによって特定される任意の図形となりうるが、以下の説明では、視覚的要素を構成する図形は、円を半径方向に変形させた軌跡であるものと仮定している。上述したように、そのような軌跡上の任意の点Ｐは、ｘｙ平面上に表したとき、原点Ｏからの距離ｒと、直線ＯＰとｙ軸とのなす角度θとによって一意に特定されることになる。
【００６９】
図４は、ステップ３３０Ｂが含むことができるより詳細な例示処理４００のフローチャートである。
【００７０】
４１０は、ディスプレイに表示されることになる視覚的要素の空間周波数領域の情報即ち空間周波数成分を導出するステップを示している。
【００７１】
『視覚的要素の空間周波数成分』は、当該視覚的要素を構成する図形である軌跡上の複数の点にわたるｘ成分及びｙ成分それぞれの変化についての空間周波数成分であってよく、各空間周波数成分は、配列Ｘｆ［］及びＹｆ［］によってそれぞれ表すことができる。図１０は、そのような配列Ｘｆ［］及びＹｆ［］をグラフに表したものであり、当該グラフの横軸が配列Ｘｆ［］及びＹｆ［］のインデックス（従って、空間周波数）に対応し、縦軸が配列Ｘｆ［］及びＹｆ［］の値（従って、対応する空間周波数における振幅）に対応する。
【００７２】
視覚的要素の空間周波数成分はどのように導出してもよいが、当該導出の一例を、図５に関して後述する。
【００７３】
４２０は、ステップ４１０において導出された空間周波数成分を逆フーリエ変換するステップを示している。このステップは、配列Ｘｆ［］及びＹｆ［］をそれぞれ逆フーリエ変換して、表示されることになる視覚的要素である軌跡を構成する複数の点のｘ成分及びｙ成分を表すデータを導出するステップであってよい。当該複数の点のｘ成分及びｙ成分を表すデータは、当該複数の点のｘ成分及びｙ成分を、当該複数の点を特定する角度θの順に並べた配列Ｘ［］及びＹ［］としてそれぞれ表すことができる。図１１は、そのような配列Ｘ［］及びＹ［］をグラフに表したものであり、当該グラフの横軸が配列Ｘ［］及びＹ［］のインデックスに対応し、縦軸が配列Ｘ［］及びＹ［］の値に対応する。なお、この例での上記複数の点の数は１２８０であり、従って配列Ｘ［］及びＹ［］のサイズは１２８０である。
【００７４】
配列Ｘ［］及びＹ［］によれば、当該配列の隣接する要素によって特定される２点間及び当該配列の最後の要素及び最初の要素によって特定される２点間を結ぶことによって、視覚的要素を構成する図形を描くことができる。図１２は、図１１のグラフを表す配列Ｘ［］及びＹ［］によって描かれた視覚的要素を表している。
【００７５】
図５は、ステップ４１０が含むことができるより詳細な例示処理５００のステップのフローチャートである。以下の説明では、基本視覚的要素データは、基本図形の空間周波成分を表すデータを含むと仮定している。基本視覚的要素データが、基本図形の空間周波数成分を表すデータではなく、基本図形である軌跡を構成する複数の点のｘ成分及びｙ成分を表すデータを含んでいる場合、例示方法１００Ａ及び１００Ｂは、後者のデータから前者のデータを、フーリエ変換を用いて導出するステップ（図示せず）を含むことができる。
【００７６】
５１０は、ディスプレイに表示されることになる視覚的要素の空間周波数成分を表す配列Ｘｆ［］及びＹｆ［］を初期化するステップを示している。当該初期化は、配列Ｘｆ［］及びＹｆ［］の全ての要素にゼロを代入することであってよい。
【００７７】
５２０は、後続のステップにおいて配列Ｘｆ［］及びＹｆ［］のインデックスとして用いる変数ｆにゼロを代入するステップを示している。
【００７８】
５３０は、後続のステップにおいて、風味要素及び基本視覚的要素を特定するためのインデックスとして用いる変数ｉにゼロを代入するステップを示している。
【００７９】
５４０は、Ｘｆ［ｆ］及びＹｆ［ｆ］を、それぞれ、ｉ番目の風味要素（以下、「風味要素ｉ」という。）に割り当てられた重みｗｉと、風味要素ｉを表す基本視覚的要素（以下、「基本視覚的要素ｉ」という。）を構成する図形の、変数ｆに対応した空間周波数における振幅ｘｆ［ｉ，ｆ］及びｙｆ［ｉ，ｆ］との積でインクリメントするステップを示している。
【００８０】
５５０は、変数ｉを１だけインクリメントするステップを示している。
【００８１】
５６０は、現在の変数ｉが風味要素の数ｉｍａｘより小さいかを判定するステップを示している。現在の変数ｉが風味要素の数ｉｍａｘより小さい場合、処理はステップ５４０に戻りループし、そうでない場合、処理はステップ５７０に進む。
【００８２】
５７０は、変数ｆを１だけインクリメントするステップを示している。
【００８３】
なお、例示処理５００において、ステップ５６０と５７０との間には、Ｘｆ［ｆ］及びＹｆ［ｆ］を風味要素の数ｉｍａｘで除算するステップが存在していてもよい。このようなステップによれば、重みｗｉと振幅ｘｆ［ｉ，ｆ］及びｙｆ［ｉ，ｆ］との積の、複数の風味要素にわたる平均値が得られることになる。
【００８４】
５８０は、現在の変数ｆが、配列Ｘｆ［］及びＹｆ［］のサイズｆｍａｘより小さいかを判定するステップを示している。現在の変数ｆが配列Ｘｆ［］及びＹｆ［］のサイズｆｍａｘより小さい場合、処理はステップ５３０に戻りループし、そうでない場合、処理は終了する。
【００８５】
例示処理５００の終了時点の配列Ｘｆ［ｆ］及びＹｆ［ｆ］が、ディスプレイに表示されることになる視覚的要素の空間周波数成分を表すことになる。
【００８６】
図６は、ステップ３３０Ｂが含むことができるより詳細な別の例示処理６００のフローチャートである。なお、ステップ３３０Ｂは、上述した例示処理４００と例示処理６００との双方を含んでいてよい。以下、例示処理５００とは異なる部分について説明する。なお、以下の説明では、基本色は単色であり、基本視覚的要素データは、基本色の色相、彩度及び明度を表すデータを含むと仮定している。
【００８７】
６１０は、ディスプレイに表示されることになる視覚的要素を構成する色の色相、彩度及び明度をそれぞれ表す変数Ｈ、Ｓ及びＶにゼロを代入するステップを示している。
【００８８】
６４０は、変数Ｈを、風味要素ｉに割り当てられた重みｗｉと、基本視覚的要素ｉの色相を表す値ｈ［ｉ］との積でインクリメントし、変数Ｓを、風味要素ｉに割り当てられた重みｗｉと、基本視覚的要素ｉの彩度を表す値ｓ［ｉ］との積でインクリメントし、変数Ｖを、風味要素ｉに割り当てられた重みｗｉと、基本視覚的要素ｉの明度を表す値ｖ［ｉ］との積でインクリメントするステップを示している。
【００８９】
なお、例示処理６００において、ステップ５６０の直後には、変数Ｈ、Ｓ及びＶを風味要素の数ｉｍａｘで除算するステップが存在していてもよい。このようなステップによれば、重みｗｉと値ｈ［ｉ］、値ｓ［ｉ］及び値ｖ［ｉ］それぞれとの積の、複数の風味要素にわたる平均値が得られることになる。
【００９０】
例示処理６００の終了時点の変数Ｈ、Ｓ及びＶが、ディスプレイに表示されることになる視覚的要素を構成する色の色相、彩度及び明度をそれぞれ表すことになる。
【００９１】
なお、基本視覚的要素データは、基本色の赤、緑及び青の色成分の大きさを表すデータを含んでいてよい、この場合、例示処理６００は、基本視覚的要素ｉの赤、青及び緑の色成分の大きさをそれぞれ表すｒ［ｉ］、ｇ［ｉ］及びｂ［ｉ］からｈ［ｉ］、ｓ［ｉ］及びｖ［ｉ］を導出するステップを含んでいてよい。あるいは、例示処理６００において、ｈ［ｉ］、ｓ［ｉ］及びｖ［ｉ］として、基本視覚的要素ｉのｒ［ｉ］、ｇ［ｉ］及びｂ［ｉ］を直接用いてもよい。この場合、得られるＨ、Ｓ及びＶは、それぞれ、ディスプレイに表示されることになる視覚的要素を構成する色の赤、緑及び青の色成分の大きさを表すことになる。
【００９２】
本発明の実施形態によれば、自社製品の消費者訴求用ツールや自社製品に価値を付加するツールとして活用し、自社製品の他社製品との差別化を図ることが可能である。
【００９３】
例えば、複数の種類を有する食品等（複数のフレーバーを有するガムや、複数の銘柄を有するたばこ等）について、その情報にアクセスしてきた消費者に、食品等の各種類の風味の時間的な変化を視覚的に表示し、好みに合った種類の選択に繋げることができる。
【００９４】
また、例えば、食品等の新製品の風味変化について、デジタルサイネージ等で視覚的に表示し、消費者に新製品の風味の特徴を効率よく訴求することができる。
【００９５】
更に、例えば、食品等を喫食中の喫食者に対して、当該食品等の風味変化を表示することにより、今までにない喫食体験を提供することができる。
【００９６】
２  本発明の別の一実施形態
本発明の別の一実施形態は、上記方法をコンピュータに実行させるプログラム、及び、上記方法を実行する情報処理装置である。そのような情報処理装置は、コンピュータ上で機能する手段又は実現される機能によって構成されてよい。
【００９７】
３  コンピュータ
以下、本発明の一実施形態を実施するために用いることができるコンピュータのハードウエア構成の一例について説明する。なお、本発明の一実施形態を実施するために用いることができるコンピュータは任意のものであってよく、例えば、パーソナル・コンピュータやタブレット・コンピュータ、スマートフォン、クラウド上のコンピュータ等である。また、本発明の一実施形態を実施するために用いることができるコンピュータは、家電や香味吸引器具等に搭載されたものであってもよい。更に、本発明の一実施形態を実施するために用いることができるコンピュータは、以下に説明する構成要素の１以上、例えば、ティスプレイ等の視覚的な出力インターフェースを含んでいない場合がある。
【００９８】
図１５は、コンピュータのハードウエア構成の一例を表している。同図に示すように、コンピュータ１５００は、ハードウエア資源として、主に、プロセッサ１５１０と、主記憶装置１５２０と、補助記憶装置１５３０と、入出力インターフェース１５４０と、通信インターフェース１５５０とを備えており、これらはアドレスバス、データバス、コントロールバス等を含むバスライン１５６０を介して相互に接続されている。なお、バスライン１５６０と各ハードウエア資源との間には適宜インターフェース回路（図示せず）が介在している場合もある。
【００９９】
プロセッサ１５１０は、コンピュータ全体の制御を行う。なお、１つのコンピュータは複数のプロセッサ１５１０を含む場合がある。このような場合、以上の説明における『プロセッサ』は、複数のプロセッサ１５１０の総称であってもよい。
【０１００】
主記憶装置１５２０は、プロセッサ１５１０に対して作業領域を提供し、ＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）等の揮発性メモリである。
【０１０１】
補助記憶装置１５３０は、ソフトウエアであるプログラム等やデータ等を格納する、ＨＤＤやＳＳＤ、フラッシュメモリ等の不揮発性メモリである。当該プログラムやデータ等は、任意の時点で補助記憶装置１５３０からバスライン１５６０を介して主記憶装置１５２０へとロードされる。補助記憶装置１５３０は、非一時的コンピュータ可読記憶媒体として参照されることがある。なお、プログラムは、プロセッサに所望の処理を実行させる命令を含むものである。
【０１０２】
以上の説明では、主記憶装置１５２０及び補助記憶装置１５３０を区別せずに『メモリ』と呼んでいる。
【０１０３】
入出力インターフェース１５４０は、情報を提示すること及び情報の入力を受けることの一方又は双方を行うものであり、デジタル・カメラ、キーボード、マウス、ディスプレイ、タッチパネル・ディスプレイ、マイク、スピーカ、温度センサ等である。
【０１０４】
通信インターフェース１５５０は、ネットワーク１５７０と接続されるものであり、ネットワーク１５７０を介してデータを送受する。通信インターフェース１５５０とネットワーク１５７０とは、有線又は無線で接続されうる。通信インターフェース１５５０は、ネットワークに係る情報、例えば、Ｗｉ−Ｆｉのアクセスポイントに係る情報、通信キャリアの基地局に関する情報等も取得することがある。
【０１０５】
上に例示したハードウエア資源とソフトウエアとの協働により、コンピュータ１５００は、所望の手段として機能し、所望のステップを実行し、所望の機能を実現させることできることは、当業者には明らかであろう。
【０１０６】
４  むすび
以上、本発明の実施形態の幾つかの例を説明してきたが、これらは例示にすぎず、本発明の技術的範囲を限定するものではないことが理解されるべきである。本開示の趣旨及び範囲から逸脱することなく、実施形態の変更、追加、改良などを適宜行うことができることが理解されるべきである。本発明の技術的範囲は、上述した実施形態のいずれによっても限定されるべきではなく、特許請求の範囲及びその均等物によってのみ規定されるべきである。
【符号の説明】
【０１０７】
１００Ａ…本発明の一実施形態に係る例示方法
１００Ｂ…本発明の一実施形態に係る別の例示方法
２００…ステップ１１０が含むことのできる例示処理
３００Ａ…ステップ１４０Ａ及び１４０Ｂが含むことのできる例示処理
３００Ｂ…ステップ１４０Ａ及び１４０Ｂが含むことのできる別の例示処理
４００…ステップ３３０Ｂが含むことのできる例示処理
５００…ステップ４１０が含むことのできる例示処理
６００…ステップ３３０Ｂが含むことのできる別の例示処理
１５６０…バスライン
１５７０…ネットワーク
【要約】
時間的に変化する風味を時間的に変化する視覚的要素として表示するための方法を提供すること。
プロセッサが、時間的に変化する風味を表す第１データをメモリから取得するステップ１３０Ａと、前記プロセッサが、前記第１データに基づき、時間的に変化する前記風味を、時間的に変化する視覚的要素として表示するための第２データを生成する生成ステップ１４０Ａとを含む方法。【図１Ａ】
0006725123.tif 000002
【図１Ｂ】
0006725123.tif 000003
【図２】
0006725123.tif 000004
【図３Ａ】
0006725123.tif 000005
【図３Ｂ】
0006725123.tif 000006
【図４】
0006725123.tif 000007
【図５】
0006725123.tif 000008
【図６】
0006725123.tif 000009
【図７】
0006725123.tif 000010
【図８】
0006725123.tif 000011
【図９】
0006725123.tif 000012
【図１０】
0006725123.tif 000013
【図１１】
0006725123.tif 000014
【図１２】
0006725123.tif 000015
【図１３】
0006725123.tif 000016
【図１４】
0006725123.tif 000017
【図１５】
0006725123.tif 000018
【図１６】
0006725123.tif 000019